(57)【要約】【課題】  小型薄型形状を保ちつつカメラ装置と回転式スイッチとを共に搭載した移動通信端末を実現する。【解決手段】  回動式カメラ部の構造を二重構造にすることで、回動部の外側を無制限に回転させ、これを回転式スイッチとして用いる。【選択図】  図１
2006093974.tif 000002
【特許請求の範囲】
【請求項１】
壁の一部に窓が設けられた円筒と、
この円筒に内包される円柱と、
前記円筒の回転を検出するセンサと、
前記円柱に設けられたカメラ装置と、
前記センサの出力信号を操作入力として処理する手段と
を備えた移動通信端末。
【請求項２】
前記円筒が挿入される挿入孔が設けられ、
前記円柱の外周の一部には第一の突起が設けられ、
前記挿入孔には前記円筒が挿入された状態で前記第一の突起の回動範囲を制限する第二の突起が設けられた
請求項１記載の移動通信端末。
【請求項３】
前記カメラ装置には、複数の撮影モードが設けられ、
前記処理する手段は、前記センサの出力信号を当該撮影モードの切替えを要求する操作入力として処理する手段を備えた
請求項１または２記載の移動通信端末。
【発明の詳細な説明】
【技術分野】
【０００１】
本発明は、携帯電話端末などの移動通信端末に利用する。特に、カメラ装置を有する移動通信端末に利用する。
【背景技術】
【０００２】
昨今では、カメラ装置を有する携帯電話端末が広く普及している。このカメラ装置のレンズの位置は、端末筐体に固定されている機種と、回動自在に操作可能な機種とがある（例えば、特許文献１参照）。
【０００３】
従来の移動通信端末の外観を図８に示す。図８の例では、画面デバイス部分とキー入力デバイス部分とを結合させるヒンジ部分にカメラ装置としての回動式カメラ部２０が設けられている。
【０００４】
一方、図８に示す回動式カメラ部２０の部分に、回動式カメラ部２０に替えて回転式スイッチを設け、これにより画面のスクロールや行送り、あるいは、Ｗｅｂブラウジングやゲーム操作に利用する機種も普及している（例えば、特許文献２参照）。
【０００５】
【特許文献１】特開２００４−１５６７３号公報
【特許文献２】特開２００４−１４７２７９号公報
【発明の開示】
【発明が解決しようとする課題】
【０００６】
従来の携帯電話端末などの移動通信端末では、カメラ装置および回転式スイッチは、双方共に便利な機能である。
【０００７】
しかしながら、移動通信端末は、小型薄型化が重要視されるので、従来の移動通信端末では、カメラ装置および回転式スイッチの双方を共に搭載することは困難であった。
【０００８】
例えば、カメラ装置が設けられた回動部分が無制限に回転可能であるとしたら、カメラ装置と回転式スイッチとを兼用することも可能であるが、カメラ装置には画像信号を移動通信端末本体に取り込むための信号線が配線されており、無制限に回転可能とすることはできない。したがって、従来のカメラ装置付き移動通信端末では、カメラ装置が設けられた回動部分と回転式スイッチとを兼用することは不可能である。
【０００９】
本発明は、このような背景に行われたものであって、小型薄型形状を保ちつつカメラ装置と回転式スイッチとを共に搭載することができる移動通信端末を提供することを目的とする。
【課題を解決するための手段】
【００１０】
本発明は、回動式カメラ部を持つ移動通信端末において回動式カメラ部の回動機構を入力装置として共用できるようにしたことを特徴としている。すなわち、本発明は、回動式カメラ部の構造を二重構造にすることで、回動部の外側を無制限に回転させ、これを回転式スイッチとして用いることができる。
【００１１】
すなわち、本発明の移動通信端末は、壁の一部に窓が設けられた円筒と、この円筒に内包される円柱と、前記円筒の回転を検出するセンサと、前記円柱に設けられたカメラ装置と、前記センサの出力信号を操作入力として処理する手段とを備えたことを特徴とする。
【００１２】
さらに、前記円筒が挿入される挿入孔が設けられ、前記円柱の外周の一部には第一の突起が設けられ、前記挿入孔には前記円筒が挿入された状態で前記第一の突起の回動範囲を制限する第二の突起が設けられることが望ましい。
【００１３】
これにより、カメラ装置が設けられた円柱は、回動範囲が制限されるため、画像信号を移動通信端末本体に取り込むための信号線の配線が回動により損傷を受けることを回避することができる。
【００１４】
また、前記カメラ装置には、複数の撮影モードが設けられ、前記処理する手段は、前記センサの出力信号を当該撮影モードの切替えを要求する操作入力として処理する手段を備えることができる。これにより、カメラ装置の操作性を向上させることができる。
【発明の効果】
【００１５】
本発明によれば、以下に記載するような効果を奏する。
【００１６】
第一の効果は、回動式カメラ部の外側回転部を無制限に回すことができるようにしているので、回転式のスイッチとして利用することができることである。
【００１７】
第二の効果は、回動式カメラ部の外側回転部をスイッチとして利用するので、別にスイッチがある場合よりも小型薄型化が可能である。
【００１８】
第三の効果は、従来の回動式カメラ部と構造が類似しているため、本発明を実施する上で設計を大きく変更する必要がないことである。
【発明を実施するための最良の形態】
【００１９】
本発明実施例の移動通信端末を図１ないし図７を参照して説明する。図１は本実施例の移動通信端末の外観図である。図２は本実施例の移動通信端末における特徴部分の構成図である。図３は本実施例の移動通信端末における特徴部分の斜視図である。図４は本実施例の移動通信端末における特徴部分の分解図である。図５は本実施例の移動通信端末における回動制限構成を説明するための図である。図６は本実施例の移動通信端末の機能ブロック構成図である。
【００２０】
本実施例の移動通信端末は、図１〜図６に示すように、壁の一部に窓が設けられた円筒である外側回転部６と、この外側回転部６に内包される円柱である内側回動部１と、外側回転部６の回転を検出する回転検出センサ７と、内側回動部１に設けられた回動式カメラ部２０と、回転検出センサ７の出力信号を操作入力として処理するＣＰＵ１１とを備えたことを特徴とする。
【００２１】
図５に示すように、外側回転部６が挿入される挿入孔９が設けられ、内側回動部１の外周の一部には第一の突起である歯止め５が設けられ、挿入孔９には外側回転部６が挿入された状態で歯止め５の回動範囲を制限する第二の突起である歯止め受け８が設けられる。なお、実際には、挿入孔９は筐体内にあり、外部から目視することはできない。
【００２２】
このように、図１に示す折り畳み可能な移動通信端末２１は回動式カメラ部２０を有する。回動式カメラ部２０はカメラモジュールを含む内側回動部１と外側回転部６の二重構造になっており、外側回転部６は独立して回転させることが可能である。
【００２３】
回動式カメラ部２０はユーザの物理的な操作により本体の向きを固定した状態でカメラモジュールのみを個別に回動させることが可能である。回動式カメラ部２０の向きが変わったことにより、カメラ画像撮影機能使用時のカメラ画像の撮影方向を変更させることができる。
【００２４】
回動式カメラ部２０の外側回転部６は回転検出センサ７に接続されており、移動通信端末２１は回動式カメラ部２０の回動または回転を検知することが可能である。内側回動部１は特定の回動範囲４内で回動可能であるのに対し、外側回転部６は無制限に回転可能である。
【００２５】
図２において、回動式カメラ部２０はユーザによる物理的な操作により回動させることが可能である。内側回動部１はカメラ制御ＬＳＩ２との信号線３が接続されているため、特定の回動範囲４にしか回動させることができないように歯止め５を有する。
【００２６】
挿入孔９の歯止め受け８に歯止め５が当たった後、さらに回動式カメラ部２０を回すと、外側回転部６のみが回転を始める。外側回転部６にはカメラ制御ＬＳＩ２との信号線３および歯止め５がないため、ユーザによる物理的な操作により無制限に回転させることができる。外側回転部６には回転検出センサ７が接続されており、カメラ未使用時には回転式スイッチとして使用できる。回転式のスイッチにて検出されたデータはＣＰＵ１１のアプリケーション処理部１３にて処理され、データ閲覧時の行送り、Ｗｅｂブラウジング、ゲームの操作などに使用される。
【００２７】
図６に示すように、ユーザが移動通信端末２１に内蔵されるキー入力デバイス１０により指示を与えると移動通信端末２１のＣＰＵ１１は、対応したアプリケーションを起動し、ＬＣＤ画面１２に画像を表示する。起動されたアプリケーションが表示しようとするデータがＬＣＤ画面１２に収まらない場合に、外側回転部６を回動させると回転検出センサ７は回転を検知しＣＰＵ１１にデータとして転送する。ＣＰＵ１１はそのデータを元にＬＣＤ画面１２に表示された画像をスクロールさせ、画面に入りきらずに非表示だった部分をＬＣＤ画面１２に表示させる。
【００２８】
（他の実施例）
本発明の他の実施例を図７を参照して説明する。図７は本発明の他の実施例における機能ブロック構成図である。その基本的構成は上記実施例のとおりであるが、カメラ機能使用時の機能に関してさらに工夫している。
【００２９】
回動式カメラ部２０には、複数の撮影モードが設けられ、ＣＰＵ１３は、回転検出センサ７の出力信号を当該撮影モードの切替えを要求する操作入力として処理する手段を備える。
【００３０】
すなわち、図７において、ユーザから移動通信端末２１に内蔵されるキー入力デバイス１０により指示が与えられるとＣＰＵ１１は回動式カメラ部２０を起動し、回動式カメラ部２０はＣＰＵ１１に画像データを送信する。ＣＰＵ１１は画像データをＬＣＤ画面１２に表示させる。
【００３１】
その際、ユーザが外側回転部６を一回転させると、回転検出センサ７はＣＰＵ１１に回転が発生したことをデータとして通知し、そのデータを受信したＣＰＵ１１は回動式カメラ部２０の撮影モードの切替えを行う。
【００３２】
例えば、撮影モードには、その撮影に使用する画素数に応じて「ＰＣモード」および「携帯モード」の２種類の撮影モードがあり、ユーザは、外側回転部６を回転させることによって、瞬時に、このいずれかの撮影モードを選択することができる。
【００３３】
従来では、このような撮影モードの切替えを行うためには、キー入力デバイス１０による複数のキー入力操作を必要とし、瞬時に撮影モードを切替えることは困難であったが、本実施例の移動通信端末２１では、外側回転部６の操作によって撮影モードを切替えることにより、切替操作を従来よりも簡単化できると共に切替時間を従来よりも短縮することができる。
【産業上の利用可能性】
【００３４】
本発明によれば、カメラ装置および回転式スイッチ付きの移動通信端末を小型薄型形状を保ったまま実現することができるため、ユーザの利便性の向上に寄与することができる。
【００３５】
また、従来の回動式カメラ部と構造が類似しているため、本発明の移動通信端末を製造する上で設計および製造工程を大きく変更する必要がなく、製造業者においては生産効率の向上および製造コストの低下に寄与し、ユーザにおいては購入コストの低下に寄与することができる。
【図面の簡単な説明】
【００３６】
【図１】本実施例の移動通信端末の外観図。
【図２】本実施例の移動通信端末における特徴部分の構成図。
【図３】本実施例の移動通信端末における特徴部分の斜視図。
【図４】本実施例の移動通信端末における特徴部分の分解図。
【図５】本実施例の移動通信端末における回動制限構成を説明するための図。
【図６】本実施例の移動通信端末の機能ブロック構成図。
【図７】本発明の他の実施例における機能ブロック構成図。
【図８】従来の移動通信端末の外観を示す図。
【符号の説明】
【００３７】
１  内側回動部
２  カメラ制御ＬＳＩ
３  信号線
４  特定の回動範囲
５  歯止め
６  外側回転部
７  回転検出センサ
８  歯止め受け
９  挿入孔
１０  キー入力デバイス
１１  ＣＰＵ
１２  ＬＣＤ画面
１３  アプリケーション処理部
２０  回動式カメラ部
２１  移動通信端末
【図１】
2006093974.tif 000003
【図２】
2006093974.tif 000004
【図３】
2006093974.tif 000005
【図４】
2006093974.tif 000006
【図５】
2006093974.tif 000007
【図６】
2006093974.tif 000008
【図７】
2006093974.tif 000009
【図８】
2006093974.tif 000010